(57)【要約】【課題】ロール製品の上下の振動を防止することができ、軽量で強度が高く、しかも単一素材で構成することができ、製造が容易なロール製品梱包用のプロテクタおよび梱包資材を提供する。【解決手段】正面から見た形状が略矩形の板状を呈し、正面の略中心部にロール製品１５の芯管１６と嵌合する略円形の受け部１１が形成され、かつ、上端中央から受け部１１まで、ワイヤロープ１８を通すための、前記受け部１１の内径より幅が狭い案内溝１２を備えている段ボール製のプロテクタ１０。案内溝１２は塞ぎ片で塞いでもよい。ロール製品１５の芯管１６の左右端に装着する一対のプロテクタ１０と、ロール製品１５を収容する段ボール製のケースとからなる梱包資材。【選択図】図２
2010163177.tif 000002
【特許請求の範囲】
【請求項１】
ロール製品の芯管の端部に装着されるプロテクタであって、
正面から見た形状が略矩形の板状を呈し、正面の略中心部に芯管と嵌合する略円形の受け部が形成され、かつ、上端中央から受け部まで、吊りワイヤを通すための、前記受け部の内径より幅が狭い案内溝を備えているプロテクタ。
【請求項２】
前記案内溝に、案内溝を塞ぐための塞ぎ片が着脱自在に設けられている請求項１記載のプロテクタ。
【請求項３】
紙製または合成樹脂製の段ボールから構成されている請求項１または２記載のプロテクタ。
【請求項４】
直方体状のケースと、そのケースの対向する内面に一対で配置される請求項１〜３のいずれかに記載のプロテクタとからなる、ロール製品の梱包資材。
【発明の詳細な説明】
【技術分野】
【０００１】
本発明はロール製品をケースに梱包するとき、芯管の端部に装着してロール製品の端部や表面を保護するプロテクタおよびそれを用いた梱包資材に関する。本明細書では、とくに言及しない限り、「芯管の端部」は、芯管がロールの端部から突出していないときなどに芯管の端部に挿入される「キャップ」を含む。また、本明細書における「段ボール」は、とくに示さない限り紙製の段ボールのほか、合成樹脂製の段ボール（プラスチック段ボール）を含む。また、紙製の段ボールには、平坦な２枚の紙製の表層の間に紙製の波形の中間層（コルゲート層）を介して接合したものや中間層を複数段備えた積層タイプの通常の段ボールのほか、波形の中間層を表層に対して直角に配列した、いわゆる「ハニカム段ボール」も含む（特許文献３参照）。なお、紙製のハニカム段ボールのほか、同形状の合成樹脂製のハニカム段ボールも含む。
【背景技術】
【０００２】
大型の液晶パネルなどに用いられる合成樹脂フィルムは、芯管の周囲に巻き取ったロール製品として出荷される。その場合、図８に示すように、ロール製品１０１の表面を傷つけないように、芯管１０２の両端に合成樹脂製の筒状の部材（キャップ）１０３を挿入し、芯管１０２にワイヤロープを通して搬送する。そのとき、芯管１０２あるいはキャップ１０３に、中央に円形の穴１０４を形成した四角形のプロテクタ１０５をセットする。そしてポリプロピレンなどの合成樹脂製のバンドでプロテクタ１０５をロール製品１０１に固定し、その状態で段ボール製のケース（図９の符号１０７参照）に収容する。この状態ではプロテクタ１０５がロール製品１０１の重量を支えるので、ロール製品の周囲および両端がケース１０７の内面に触れず、傷がつかない。また、プロテクタ１０５によってロール製品１０１の側面がワイヤロープから保護される。
【０００３】
そのようなプロテクタ１０５として、図８の右下に示すような、中央に円形の開口１０４ａを形成した木製あるいは合成樹脂製のパネル本体１０８と、そのパネル本体の内面（ロール製品と接触する側）に接着される段ボール製（紙製または合成樹脂製）のパット（ｐａｄ）１０９とからなるものが用いられている。パット１０９の中央にも円形の開口１０４ｂが形成されている。木製のパネル本体１０８には合板あるいは中密度繊維板が用いられ、たとえば厚さ１５ｍｍの合板を所定の大きさに切断したものを２枚貼り合わせ、中央の開口１０４ａを抜き加工する。合成樹脂製の場合は、中央の開口を有する形状に成型する。パット１０９は段ボールを切断、抜き加工して同様に形成される。
【０００４】
他方、フォークリフトで搬送するパレットを兼ねる底部材と、ロール製品を宙吊り状態で収納する左右の支持板とからなる梱包資材が提案されている（特許文献１）。このものは上端に略Ｕ字状の切り欠きを備えた支持板を底部材に対して折りたたみ自在に連結し、左右の支持板同士を側壁で連結している。そして梱包資材の全体を耐水性のコートを設けた段ボールで構成している。段ボールは複数枚を重ねて耐水接着剤で接着している。
【０００５】
また、特許文献２には、左右の側壁を底部材に対して噛み合わせ、側壁の上端同士をカバーで連結した、枠構造のロール品収容ボックスが開示されている。このものは、側壁の上端から略中央部まで、上向きに開口する略Ｕ字状の切り欠き溝が形成されており、側壁が支持板を兼ねている。このものは、生産・組み立ての構造上、前面と背面が大きく開口しており、密封性に欠ける。また、側壁の切り欠き溝によっても内外が連通している。特許文献３は、ハニカム段ボールを開示している。
【０００６】
【特許文献１】特開２００２−１０４４１２号公報
【特許文献２】特開２００３−５４５５７号公報
【特許文献３】特開平１０−２３０９３８号公報
【発明の開示】
【発明が解決しようとする課題】
【０００７】
図８に示すプロテクタ１０５は、木製のパネル本体１０８を用いるので、強度が充分である。また、中央の円形の開口１０４でキャップ１０３を介して芯管１０２を支持するので、輸送中あるいは搬送中のロール製品１０１の上下の振動を防止することができる。しかし芯管１０２やキャップ１０３をワイヤロープで吊り上げると、プロテクタ１０５を芯管１０２に挿入できない。そのため、たとえば図９に示すように、芯管１０２に鋼製のパイプ１１０などを挿入し、そのパイプ１１０の両端をワイヤロープ１１１で吊り上げ（吊り工程Ｓ１）、ついで芯管１０２を地面ないし床面に固定したＹ字状の支持部材１１２に支持させ（仮置き工程Ｓ２）、プロテクタ１０５を芯管１０２に装着する（装着工程Ｓ３）。さらにパイプ１１０の両端をワイヤロープ１１１で吊り上げて段ボールケース１０７に収容する（収容工程Ｓ４）。収納後にパイプ１１０を抜き取り、蓋１０７ａを閉じる。なお、段ボールケース１０７の側壁１０７ｂや蓋１０７ａには、切り欠きまたは開閉扉を設けてパイプ１１０を通すことができるようにしている（図４参照）。
【０００８】
このように従来のプロテクタ１０５では、一旦、ロール製品１０１を支持部材１１２へ載置してからプロテクタ１０５を芯管１０２に装着するので、取り扱いがきわめて煩雑である。ロール１０１を段ボールケース１０７から取り出す場合も同様である。さらに従来のプロテクタ１０５は、段ボールなどに比して重量が重く、穴開け加工や貼り合わせ加工などの製造工程が煩雑である。また、パネル本体１０８と段ボール製のパット１０９の複数素材を組み合わせるので、廃棄時に分別する必要があり、煩雑である。
【０００９】
他方、特許文献１、２のパレット兼用のボックスは、全体が段ボールであるため、軽量であり、分別廃棄の必要がないが、ロール製品の上下振動を抑制することができず、強度の点でも不安が残る。また、多数枚の段ボールを貼り合わせたり組み立てる作業も、簡単とはいえない。
【００１０】
本発明は、ロール製品の上下の振動を防止することができ、芯管への着脱が容易で、強度が高く、しかも軽量で製造が容易なロール製品梱包用のプロテクタおよび梱包資材を提供することを技術課題としている。
【課題を解決するための手段】
【００１１】
本発明のプロテクタ（請求項１）は、ロール製品の芯管の端部に装着されるプロテクタであって、正面から見た形状が略矩形の板状を呈し、正面の略中心部に芯管と嵌合する略円形の受け部が形成され、かつ、上端中央から受け部まで、吊りワイヤを通すための、前記受け部の内径より幅が狭い案内溝を備えていることを特徴としている。
【００１２】
前記案内溝に、案内溝を塞ぐための塞ぎ片が着脱自在に設けられているものであってもよい（請求項２）。また、このようなプロテクタは、紙製または合成樹脂製の段ボールから構成されているものが好ましい（請求項３）。
【００１３】
本発明のロール製品の梱包資材（請求項４）は、直方体状のケースと、そのケースの対向する内面に一対で配置される前記いずれかのプロテクタとからなることを特徴としている。
【発明の効果】
【００１４】
本発明のプロテクタ（請求項１）は、中央の受け部と上端中央とが案内溝によって連通しているので、ロール製品の芯管に挿入した鋼製のパイプなどをワイヤロープで吊り上げたまま、芯管の周囲に装着することができ、また、取り外すことができる。すなわち、吊り上げたロール製品の芯管の端部にプロテクタの受け部を嵌合し、軸方向に内側にずらせていくとき、吊り上げているワイヤロープは案内溝を通過させることができるので、そのままプロテクタをロール製品の端面近辺まで押し込むことができる。
【００１５】
そして案内溝の幅は芯管の外径（受け部の内径）より狭いため、一旦芯管に取り付けたプロテクタが脱落するおそれはない。プロテクタを左右の芯管に装着した状態のロール製品は、そのまま段ボールなどのケースに収容することができ、その状態からプロテクタの外側にあるワイヤロープを抜き取ることも容易である。そしてロール製品の芯管の端部をプロテクタによって上下の振動が生じないように支えることができる。
【００１６】
このように本発明のプロテクタは、従来の中心に円形の穴を備えたプロテクタ（図８参照）と実質的に同じ機能を発揮し、しかもワイヤロープで吊り上げた状態の芯管に対して着脱が可能であるという利点がある。
【００１７】
前記案内溝に、案内溝を塞ぐための塞ぎ片が着脱自在に設けられている場合（請求項２）は、芯管をワイヤロープで吊り上げたとき、ワイヤロープが案内溝内に入り込むリスクが軽減される。また、紙製または合成樹脂製の段ボールから構成されているプロテクタ（請求項３）は、軽量であり、しかも廃棄時に分別する必要がない。
【００１８】
本発明の梱包資材（請求項４）は、ロール製品の芯管の左右端に前記いずれかのプロテクタをそれぞれ装着し、その状態で直方体状のケースに収容することにより、ロール製品を安定して保管、搬送することができる。また、吊り上げたロール製品をケースに収容したり、取り出したりする作業が簡単である。
【発明を実施するための最良の形態】
【００１９】
つぎに図面を参照しながら本発明の実施の形態を説明する。図１は本発明のプロテクタの一実施形態を示す斜視図、図２はそのプロテクタをロール製品に取り付ける手順を示す斜視図、図３は図１のプロテクタを用いてロール製品を梱包する手順を示す工程図、図４は図３の梱包手順の収容工程を示す斜視図、図５は図１のプロテクタの案内溝にロール製品を吊り上げるワイヤロープを通す方法の他の例を示す正面図、図６ａおよび図６ｂはそれぞれ本発明のプロテクタの他の使用方法を示す正面図、図７ａおよび図７ｂはそれぞれ本発明のプロテクタのさらに他の実施形態を示す平面図および正面図である。
【００２０】
図１に示すプロテクタ１０は、全体的に矩形状の輪郭を有し、中央に円形の開口からなる受け部１１が形成され、上端中央から中心に向かって前記受け部１１に達する案内溝１２が形成されている。受け部１１と案内溝１２は、合わせて鍵穴状の形態となる。受け部１１の内径は、装着しようとするロール製品の芯管に合わせて芯管と嵌合する寸法とする。案内溝１２の幅は、受け部１１の径よりかなり細く、ロール製品を吊り上げるワイヤロープを通すことができる程度とする。
【００２１】
このようなプロテクタ１０は、たとえば厚さ３〜１５ｍｍ程度の段ボールを矩形状に切り取り、あるいは打ち抜き、中央に円形の受け部１１を打ち抜いた後、さらに案内溝１２を切り欠くことにより製造することができる。受け部１１と案内溝１２を同時に打ち抜くようにしてもよい。段ボールとしては、厚いものでは中間層（コルゲート）を２層以上有する段ボールが用いられる。また、厚さ３〜８ｍｍの段ボールを複数枚、たとえば２〜３枚重ねて構成することもできる。図１では３枚の段ボールを用いている。重ねた段ボールは通常は接着剤で接着する。両面テープや粘着テープなどで接合してもよい。２枚の表層の間にコルゲート層を挟んだ段ボールや、２枚の表層の間に多数のリブを介在させたプラスチック段ボールなど、折り曲げる方向によって支持強度に差がある段ボールの場合は、コルゲート層の溝やリブが上下方向になるように、上下方向の支持強度が高くなる向きにする。ハニカム段ボールでは、折り曲げ強度に強弱がないので、いずれの向きでもよい。
【００２２】
図２および図３は図１のプロテクタ１０を用いてロール製品１５を梱包する手順を示している。はじめにロール製品１５の芯管１６に鋼製のパイプなどの心材１７を通し、その心材１７にワイヤロープ１８を引っかけて、ロール製品１５を吊り上げる（図３の吊り上げ工程Ｓ１）。また、芯管１６にワイヤロープ１８を通して吊ることもできる。ロール製品１５の吊り上げ高さは、プロテクタ１０を床面からほとんど持ち上げなくてもよい程度の高さにするのが好ましい。
【００２３】
つぎに図２および図３のように、吊り上げた状態で芯管１６の左右の端部にプロテクタ１０を配置する（図３の配置工程Ｓ２）。さらに受け部１１を芯管１６に嵌合させるようにしてプロテクタ１０をロール製品１５の側面まで装着する（図２の想像線および図３の装着工程Ｓ３参照）。この場合、ループ状になっている２本のワイヤロープ１８を案内溝１２に通しながらプロテクタ１０をロール製品１５の端面近辺までずらせていく。そのため、吊り上げた状態のままプロテクタ１０を深く装着することができ、図９のようなＹ字状の支持部材１１２に仮置きする必要がない。プロテクタ１０を装着した後は、案内溝１２が芯管１６の外径より細いので、プロテクタ１０が脱落するおそれがない。芯管１６が太く、ワイヤロープ１８の間隔が大きい場合は、図５に示すようにワイヤロープ１８を絞りながら案内溝１２に通す。
【００２４】
ついで図３のケース収容工程Ｓ４に示すように、吊り上げたプロテクタ１０付きのロール製品１５を段ボール製のケース１９に収容する。なお、図４に示すように、ケース１９の左右の側壁１９ａには、上端から中央近辺まで、吊り上げ用の心材１７を通すための切り欠き１９ｂを形成しておく。また、前後左右の蓋２０ａ、２０ｂのうち、側壁１９ａと連続する蓋２０ａには、吊り上げ用の心材１７との干渉を避けるための切り欠き２０ｃを形成しておく。切り欠き１９ｂ、２０ｃを形成するとき、完全に抜き取らず、側縁に形成した折り目線で連続する扉片１９ｃ、２０ｄで開閉自在にしておくのが好ましい。
【００２５】
そして蓋片２０ａ、２０ｂおよび扉片１９ｃ、２０ｃを開いた状態にした上で、前述のようにワイヤロープ１８で吊り上げたロール製品１５およびプロテクタ１０をそのままケース１９に入れる。ついで心材１７を抜き取る。収納後はロール製品１５の両端がプロテクタ１０によって覆われているため、ケース１９にロール製品１５の端部をぶつけて傷つけることが防止される。また、芯材１７を用いずに芯管１６にワイヤロープ１８を通して吊り上げても、ワイヤロープ１８がプロテクタ１０に当たり、ロール製品１５に直接触れないので、ロール製品１５を保護することができる。なお、左右一対のプロテクタ１０とケース１９とで構成される梱包資材は、本発明の梱包資材の一実施形態である。
【００２６】
その後はケース１９の蓋２０ａ、２０ｂを閉じ、扉片１９ｃ、２０ｄを閉じて切り欠き１９ｂ、２０ｃを塞ぎ、蓋２０ａ、２０ｂなどをテープで固定して梱包を完了する。梱包状態では、従来のプロテクタと同様に、プロテクタ１０が芯管１６を支持するので、ロール製品１５はケース１９の内面に接触しない。そのためロール製品１５に傷がつかない。さらに搬送時にロール製品１５の振動、とくに上下の振動が抑制される。
【００２７】
開梱する場合は、前述と逆にすればよい。ワイヤロープ１８で吊り上げるとき、プロテクタ１０ごと吊り上げてから、芯管１６からプロテクタ１０を取り外す。このときも案内溝１１があるので、ワイヤロープ１８は邪魔にならず、容易に取り外すことができる。
【００２８】
図２〜４の取り付け手順では、プロテクタ１０の案内溝１２が上向きのまま、ケース１９に収容している。その方が広い面積で芯管１６を受けることができるのでロール製品１５を安定して保持できる。ただし図６ａに示すように、案内溝１２が下向きになるようにプロテクタ１０を回転させてからケースに収容してもよい。また、図６ｂに示すように、案内溝１２を横向きにしてケースに収容するようにしてもよい。このように案内溝１２の位置をワイヤロープの位置からずらせる場合は、ワイヤロープが案内溝１２に入り込んでロール製品に触れるリスクがなくなる。
【００２９】
図７ａ、図７ｂに示すプロテクタ２６では、プロテクタ本体２７を複数層（図では３層）の段ボールを重ねて構成している。各層を複数枚の段ボールで形成してもよい。たとえば外層２８を２枚の段ボールを重ねて形成し、中央層２９を３枚の段ボールを重ねて形成することができる。そして外層２８、２８は図１のプロテクタ１０と同一の形状を備え、中央層２９は図１における案内溝１２の幅を受け部１１と同程度まで広くしている。それにより図７ａに示すように、プロテクタ本体２７には上端から見たときに略十文字状の案内溝３０が形成される。そしてその十文字状の案内溝３０に塞ぎ片３１を着脱自在に嵌合している。塞ぎ片３１の下端は、受け部１２と同様の円弧状に形成されている。この塞ぎ片３１は、段ボールから案内溝１２および幅を広くした案内溝を抜き落としたとき、それらの抜き片を重ねて接合することにより容易に製造することができる。
【００３０】
このプロテクタ２６では、プロテクタ本体２７をロール製品の芯管に装着した後、塞ぎ片３１を上端開口から十文字状の案内溝３０に挿入する。ただし必要に応じて両面テープなどで仮着してもよい。断面十文字状の塞ぎ片３１を案内溝３０に挿入し、嵌合させることにより、案内溝３０が密に塞がれ、プロテクタ２６の強度が向上する。また、ロール製品の重量で上部の左右部分が中央に寄ることが防止され、さらに芯管をワイヤロープで吊り上げたとき、ワイヤロープが案内溝３０に入り込まない。
【００３１】
本発明のプロテクタは、紙製の段ボールのほか、プラスチック製の段ボールも使用することができる。また、コルゲートの中間層を有するもののほか、ハニカム段ボールも使用することができる。ハニカム段ボールを用いると、屈曲に対する強度が高くなる。いずれの場合も、同一の素材のシートで構成するのが好ましい。それにより、分別廃棄の必要がなく、資材の再利用、再生が容易である。
【図面の簡単な説明】
【００３２】
【図１】本発明のプロテクタの一実施形態を示す斜視図である。
【図２】図１のプロテクタをロール製品に取り付ける手順を示す斜視図である。
【図３】図１のプロテクタを用いてロール製品を梱包する手順を示す工程図である。
【図４】図３の梱包手順の収容工程を示す斜視図である。
【図５】図１のプロテクタの案内溝にロール製品を吊り上げるワイヤロープを通す方法の他の例を示す正面図である。
【図６】図６ａおよび図６ｂはそれぞれ本発明のプロテクタの他の使用方法を示す正面図である。
【図７】図７ａおよび図７ｂはそれぞれ本発明のプロテクタのさらに他の実施形態を示す平面図および正面図である
【図８】従来のプロテクタの一例を示す斜視図である。
【図９】そのプロテクタを用いたロール製品の梱包手順を示す工程図である。
【符号の説明】
【００３３】
１０  プロテクタ
１１  受け部
１２  案内溝
１５  ロール製品
１６  芯管
１７  芯材
１８  ワイヤロープ
１９  ケース
１９ａ  側壁
１９ｂ  切り欠き
１９ｃ  扉片
２０ａ、２０ｂ  蓋
２０ｃ  切り欠き
２０ｄ  扉片
２６  プロテクタ
２７  プロテクタ本体
２８  外層
２９  中間層
３０  案内溝
３１  塞ぎ片
【図１】
2010163177.tif 000003
【図２】
2010163177.tif 000004
【図３】
2010163177.tif 000005
【図４】
2010163177.tif 000006
【図５】
2010163177.tif 000007
【図６】
2010163177.tif 000008
【図７】
2010163177.tif 000009
【図８】
2010163177.tif 000010
【図９】
2010163177.tif 000011